(57)【要約】  本発明の実施例は、無線通信方法、基地局、及び端末を提供する。本発明の実施例において、基地局は、下りリンク制御情報を端末に送出し、下りリンク制御情報は、上りリンクスケジューリング指示情報を含み、上りリンクスケジューリング指示情報は、少なくとも１つのアンライセンスキャリア上の複数の上りリンクサブフレーム内で上りリンクデータを送出するように端末に命令するために使用され、それにより、端末は、上りリンクスケジューリング指示情報に基づき１つ以上の対応するアンライセンスキャリア上の複数の上りリンクサブフレーム内で上りリンクデータを送出し、これにより、１つの下りリンク制御情報内の上りリンクスケジューリング指示情報を使用することにより、上りリンク送信を実行するための複数の上りリンクサブフレームのスケジューリングを実現する。これは、スケジューリングシグナリングオーバーヘッドを効果的に低減すると同時にデータ送信におけるデータボリュームを増加させる。
2019512914.tif 000002
【特許請求の範囲】
【請求項１】
基地局により、下りリンク制御情報を端末に送出するステップであり、前記下りリンク制御情報は、上りリンクスケジューリング指示情報を含み、前記上りリンクスケジューリング指示情報は、少なくとも１つのアンライセンスキャリア上の複数の上りリンクサブフレーム内で上りリンクデータを送出するように前記端末に命令するために使用される、ステップ
を含む無線通信方法。
【請求項２】
基地局により、下りリンク制御情報を端末に送出する前記ステップは、
前記基地局により、アンライセンスキャリアを使用することにより前記下りリンク制御情報を前記端末に送出するステップ、又は、
前記基地局により、ライセンスキャリアを使用することにより前記下りリンク制御情報を前記端末に送出するステップ
を含む、請求項１に記載の方法。
【請求項３】
基地局により、下りリンク制御情報を端末に送出する前記ステップは、
前記基地局により、１つの下りリンクサブフレームを使用することにより１つの下りリンク制御情報を前記端末に送出するステップ
を含む、請求項１に記載の方法。
【請求項４】
基地局により、下りリンク制御情報を端末に送出する前記ステップは、
前記基地局により、１つの下りリンクサブフレームを使用することにより複数の下りリンク制御情報を前記端末に送出するステップ、を含み、
前記下りリンクサブフレームに対応するキャリアは、アンライセンスキャリア及びライセンスキャリアを含み、各々の下りリンク制御情報が、上りリンクスケジューリング指示情報を含み、前記上りリンクスケジューリング指示情報は、前記少なくとも１つのアンライセンスキャリア上の少なくとも１つの上りリンクサブフレーム内で上りリンクデータを送出するように前記端末に命令するために使用される、
請求項１に記載の方法。
【請求項５】
前記上りリンクスケジューリング指示情報は、開始上りリンクサブフレーム位置情報と連続上りリンクサブフレームの数量とを含む、請求項１乃至４のうちいずれか１項に記載の方法。
【請求項６】
前記上りリンクスケジューリング指示情報は、開始上りリンクサブフレーム周期及び開始上りリンクサブフレームオフセットをさらに含む、請求項５に記載の方法。
【請求項７】
前記上りリンクスケジューリング指示情報はキャリアインデックスをさらに含む、請求項５又は６に記載の方法。
【請求項８】
当該方法は、
前記基地局により、無線リソース制御シグナリングを前記端末に送出するステップであり、前記無線リソース制御シグナリングはシステム構成情報を含み、前記システム構成情報は、連続上りリンクサブフレームの数量と開始上りリンクサブフレーム周期とを含む、ステップ、さらに含み、
対応して、前記上りリンクスケジューリング指示情報は、開始上りリンクサブフレーム位置情報及び開始上りリンクサブフレームオフセットを含む、
請求項１又は２に記載の方法。
【請求項９】
前記上りリンクスケジューリング指示情報を送出するための前記下りリンクサブフレームのインデックスと、前記スケジュールされた上りリンクサブフレームのインデックスとの間の差は、可変値であり、整数である、請求項１乃至８のうちいずれか１項に記載の方法。
【請求項１０】
前記スケジュールされた上りリンクサブフレームと、前記下りリンク制御情報を送出するための前記下りリンクサブフレームとは、同じ最大チャネル占有時間ＭＣＯＴ内に入る、請求項１乃至９のうちいずれか１項に記載の方法。
【請求項１１】
端末により、基地局により送出された下りリンク制御情報を受信するステップであり、前記下りリンク制御情報は、上りリンクスケジューリング指示情報を含む、ステップと、
前記端末により、前記上りリンクスケジューリング指示情報に基づき少なくとも１つのアンライセンスキャリア上の複数の上りリンクサブフレーム内で上りリンクデータを送出するステップと、
を含む無線通信方法。
【請求項１２】
端末により、基地局により送出された下りリンク制御情報を受信する前記ステップは、
前記端末によりアンライセンスキャリアを使用することにより、前記基地局により送出された前記下りリンク制御情報を受信するステップ、又は、
前記端末によりライセンスキャリアを使用することにより、前記基地局により送出された前記下りリンク制御情報を受信するステップ
を含む、請求項１１に記載の方法。
【請求項１３】
端末により、基地局により送出された下りリンク制御情報を受信する前記ステップは、
前記端末により１つの下りリンクサブフレームを使用することにより、前記基地局により送出された複数の下りリンク制御情報を受信するステップであり、前記下りリンクサブフレームに対応するキャリアは、アンライセンスキャリア及びライセンスキャリアを含み、各々の下りリンク制御情報が、上りリンクスケジューリング指示情報を含む、ステップ、を含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記複数の上りリンクスケジューリング指示情報に基づき１つのアンライセンスキャリア上の複数の上りリンクサブフレーム内で別個に前記上りリンクデータを送出するステップ、を含み、
前記上りリンクスケジューリング指示情報は、前記上りリンクサブフレームに対して１対１の対応関係にある、請求項１１に記載の方法。
【請求項１４】
当該方法は、
前記端末により、前記上りリンクスケジューリング指示情報に基づき上りリンクサブフレーム開始位置情報と連続上りリンクサブフレームの数量とを取得するステップ、をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記上りリンクサブフレーム開始位置と前記連続上りリンクサブフレームの数量とに基づき複数の上りリンクサブフレームを決定するステップと、
前記端末により、前記複数の上りリンクサブフレーム内で前記上りリンクデータを送出するステップと、
を含む、請求項１１乃至１３のうちいずれか１項に記載の方法。
【請求項１５】
当該方法は、
前記端末により、前記上りリンクスケジューリング指示情報に基づき開始上りリンクサブフレーム周期及び開始上りリンクサブフレームオフセットを取得するステップ、をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記上りリンクサブフレーム開始位置と、前記連続上りリンクサブフレームの数量と、前記開始上りリンクサブフレーム周期と、前記開始上りリンクサブフレームオフセットとに基づき複数の上りリンクサブフレームを決定するステップと、
前記端末により、前記複数の上りリンクサブフレーム内で前記上りリンクデータを送出するステップと、
を含む、請求項１４に記載の方法。
【請求項１６】
当該方法は、
前記端末により、前記上りリンクスケジューリング指示情報に基づきキャリアインデックスを取得するステップ、をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記上りリンクサブフレーム開始位置と、前記連続上りリンクサブフレームの数量と、前記キャリアインデックスとに基づき複数のアンライセンスキャリア上の複数の上りリンクサブフレームを決定するステップと、
前記端末により、前記複数のアンライセンスキャリア上の前記複数の上りリンクサブフレーム内で前記上りリンクデータを送出するステップと、
を含む、請求項１４又は１５に記載の方法。
【請求項１７】
前記上りリンクスケジューリング指示情報は、開始上りリンクサブフレーム位置情報及び開始上りリンクサブフレームオフセットを含み、当該方法は、
前記端末により、前記基地局により送出された無線リソース制御シグナリングを受信するステップであり、前記無線リソース制御シグナリングはシステム構成情報を含む、ステップと、
前記端末により、前記システム構成情報に基づき連続上りリンクサブフレームの数量と開始上りリンクサブフレーム周期とを取得するステップと、
をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記無線リソース制御シグナリング及び前記上りリンクスケジューリング指示情報に基づき前記少なくとも１つのアンライセンスキャリア上の前記複数の上りリンクサブフレーム内で前記上りリンクデータを送出するステップ、を含む、
請求項１１又は１２に記載の方法。
【請求項１８】
前記端末が前記上りリンクスケジューリング指示情報を受信するための前記下りリンクサブフレームのインデックスと、前記スケジュールされた上りリンクサブフレームのインデックスとの間の差は、可変値であり、整数である、請求項１１乃至１７のうちいずれか１項に記載の方法。
【請求項１９】
前記スケジュールされた上りリンクサブフレームと、前記上りリンクスケジューリング指示情報を受信するための前記下りリンクサブフレームとは、同じ最大チャネル占有時間ＭＣＯＴ内に入る、請求項１１乃至１７のうちいずれか１項に記載の方法。
【請求項２０】
処理モジュールにより生成された下りリンク制御情報を端末に送出するように構成された送出モジュールであり、前記下りリンク制御情報は、上りリンクスケジューリング指示情報を含み、前記上りリンクスケジューリング指示情報は、少なくとも１つのアンライセンスキャリア上の複数の上りリンクサブフレーム内で上りリンクデータを送出するように前記端末に命令するために使用される、送出モジュール
を含む基地局。
【請求項２１】
前記送出モジュールは、
アンライセンスキャリアを使用することにより前記下りリンク制御情報を前記端末に送出し、あるいは、
前記基地局により、ライセンスキャリアを使用することにより前記下りリンク制御情報を前記端末に送出する
ように具体的に構成される、請求項２０に記載の基地局。
【請求項２２】
前記送出モジュールは、
１つの下りリンクサブフレームを使用することにより１つの下りリンク制御情報を前記端末に送出する
ように具体的に構成される、請求項２０に記載の基地局。
【請求項２３】
前記送出モジュールは、１つの下りリンクサブフレームを使用することにより複数の下りリンク制御情報を前記端末に送出するように具体的に構成され、
前記下りリンクサブフレームに対応するキャリアは、アンライセンスキャリア及びライセンスキャリアを含み、各々の下りリンク制御情報が、上りリンクスケジューリング指示情報を含み、前記上りリンクスケジューリング指示情報は、前記少なくとも１つのアンライセンスキャリア上の少なくとも１つの上りリンクサブフレーム内で上りリンクデータを送出するように前記端末に命令するために使用される、
請求項２０に記載の基地局。
【請求項２４】
前記上りリンクスケジューリング指示情報は、開始上りリンクサブフレーム位置情報と連続上りリンクサブフレームの数量とを含む、請求項２０乃至２３のうちいずれか１項に記載の基地局。
【請求項２５】
前記上りリンクスケジューリング指示情報は、開始上りリンクサブフレーム周期及び開始上りリンクサブフレームオフセットをさらに含む、請求項２４に記載の基地局。
【請求項２６】
前記上りリンクスケジューリング指示情報はキャリアインデックスをさらに含む、請求項２４又は２５に記載の基地局。
【請求項２７】
前記送出モジュールは、前記処理モジュールにより生成された無線リソース制御シグナリングを前記端末に送出するようにさらに構成され、前記無線リソース制御シグナリングはシステム構成情報を含み、前記システム構成情報は、連続上りリンクサブフレームの数量と開始上りリンクサブフレーム周期とを含み、
前記上りリンクスケジューリング指示情報は、開始上りリンクサブフレーム位置情報及び開始上りリンクサブフレームオフセットを含む、
請求項２０又は２１に記載の基地局。
【請求項２８】
基地局により送出された下りリンク制御情報を受信するように構成された受信モジュールであり、前記下りリンク制御情報は、上りリンクスケジューリング指示情報を含む、受信モジュールと、
送出モジュールを使用することにより、前記上りリンクスケジューリング指示情報に基づき少なくとも１つのアンライセンスキャリア上の複数の上りリンクサブフレーム内で上りリンクデータを送出するように構成された処理モジュールと、
を含む端末。
【請求項２９】
前記受信モジュールは、
アンライセンスキャリアを使用することにより、前記基地局により送出された前記下りリンク制御情報を受信し、あるいは、
ライセンスキャリアを使用することにより、前記基地局により送出された前記下りリンク制御情報を受信する
ように具体的に構成される、請求項２８に記載の端末。
【請求項３０】
前記受信モジュールは、１つの下りリンクサブフレームを使用することにより、前記基地局により送出された複数の下りリンク制御情報を受信するように具体的に構成され、前記下りリンクサブフレームに対応するキャリアは、アンライセンスキャリア及びライセンスキャリアを含み、各々の下りリンク制御情報が、上りリンクスケジューリング指示情報を含み、
前記処理モジュールは、前記送出モジュールを使用することにより、前記複数の上りリンクスケジューリング指示情報に基づき１つのアンライセンスキャリア上の複数の上りリンクサブフレーム内で別個に前記上りリンクデータを送出するように具体的に構成され、
前記上りリンクスケジューリング指示情報は、前記上りリンクサブフレームに対して１対１の対応関係にある、請求項２８に記載の端末。
【請求項３１】
前記処理モジュールは、前記上りリンクスケジューリング指示情報に基づき上りリンクサブフレーム開始位置情報と連続上りリンクサブフレームの数量とを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記上りリンクサブフレーム開始位置と前記連続上りリンクサブフレームの数量とに基づき複数の上りリンクサブフレームを決定することと、
前記送出モジュールを使用することにより前記複数の上りリンクサブフレーム内で前記上りリンクデータを送出することと、
を含む、請求項２８乃至３０のうちいずれか１項に記載の端末。
【請求項３２】
前記処理モジュールは、前記上りリンクスケジューリング指示情報に基づき開始上りリンクサブフレーム周期及び開始上りリンクサブフレームオフセットを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記上りリンクサブフレーム開始位置と、前記連続上りリンクサブフレームの数量と、前記開始上りリンクサブフレーム周期と、前記開始上りリンクサブフレームオフセットとに基づき複数の上りリンクサブフレームを決定することと、
前記送出モジュールを使用することにより前記複数の上りリンクサブフレーム内で前記上りリンクデータを送出することと、
を含む、請求項３１に記載の端末。
【請求項３３】
前記処理モジュールは、前記上りリンクスケジューリング指示情報に基づきキャリアインデックスを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記上りリンクサブフレーム開始位置と、前記連続上りリンクサブフレームの数量と、前記キャリアインデックスとに基づき複数のアンライセンスキャリア上の複数の上りリンクサブフレームを決定することと、
前記送出モジュールを使用することにより前記複数のアンライセンスキャリア上の前記複数の上りリンクサブフレーム内で前記上りリンクデータを送出することと、
を含む、請求項３１又は３２に記載の端末。
【請求項３４】
前記上りリンクスケジューリング指示情報は、開始上りリンクサブフレーム位置情報及び開始上りリンクサブフレームオフセットを含み、前記受信モジュールは、前記基地局により送出された無線リソース制御シグナリングを受信するようにさらに構成され、前記無線リソース制御シグナリングはシステム構成情報を含み、
前記処理モジュールは、前記システム構成情報に基づき連続上りリンクサブフレームの数量と開始上りリンクサブフレーム周期とを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記送出モジュールを使用することにより前記無線リソース制御シグナリング及び前記上りリンクスケジューリング指示情報に基づき前記少なくとも１つのアンライセンスキャリア上の前記複数の上りリンクサブフレーム内で前記上りリンクデータを送出すること
を含む、請求項２８又は２９に記載の端末。
【請求項３５】
基地局であって、当該基地局は送受信機、メモリ、バスシステム、及び少なくとも１つのプロセッサを含み、前記送受信機、前記メモリ、及び前記少なくとも１つのプロセッサは前記バスシステムを使用することにより接続され、
前記メモリは１つ以上のプログラムを記憶し、前記１つ以上のプログラムは命令を含み、前記命令が当該基地局により実行されたとき、当該基地局は請求項１乃至１０のうちいずれか１項に記載の方法を実行する、基地局。
【請求項３６】
端末であって、当該端末は送受信機、メモリ、バスシステム、及び少なくとも１つのプロセッサを含み、前記送受信機、前記メモリ、及び前記少なくとも１つのプロセッサは前記バスシステムを使用することにより接続され、
前記メモリは１つ以上のプログラムを記憶し、前記１つ以上のプログラムは命令を含み、前記命令が当該端末により実行されたとき、当該端末は請求項１１乃至１９のうちいずれか１項に記載の方法を実行する、端末。
【発明の詳細な説明】
【技術分野】
【０００１】
本発明の実施例は通信技術に関し、詳細には無線通信方法、基地局、及び端末に関する。
【背景技術】
【０００２】
ロングタームエボリューションを使用したライセンス支援アクセス（Licensed-Assisted  Access  Using  Long  Term  Evolution、略してＬＡＡ‐ＬＴＥ）は、ライセンスキャリア上でＬＴＥシステムを展開し、動作させることに基づいて、アンライセンスキャリアがライセンスキャリア上のデータトラフィックを共有するために導入されることを具体的に意味する。アンライセンスキャリアは、低いコスト、低い参入要件、及びリソース共有などの利点を有する。具体的に、アンライセンスキャリアをＬＴＥに適用する特定の実現方式が下記を含む：キャリアアグリゲーション（Carrier  Aggregation、略してＣＡ）及びデュアルコネクティビティ（Dual  Connectivity、略してＤＣ）モードに基づき、動作がキャリアアグリゲーションモードにおいて実行されるとき、ライセンスキャリアはプライマリセル（Ｐｃｅｌｌ）の役割を果たし、アンライセンスキャリアはセカンダリセル（Ｓｃｅｌｌ）の役割を果たす。上りリンク及び下りリンクは双方、同じアンライセンスキャリア上で送信され得る。具体的に、送信は、時分割多重（Time  Division  Multiplexing、略してＴＤＭ）の形式で実行され得る。
【０００３】
基地局が、アンライセンスキャリアを使用することにより上りリンク及び下りリンクデータ送信を実行するとき、最初、基地局は、クリアチャネル評価（clear  channel  assessment）を実行してチャネルを先取し、チャネルがアイドルであると検出したとき下りリンクデータを送出し、下りリンクデータ送出が完了された後に上りリンク・下りリンク変換を実行する。端末は、上りリンクデータを送出する前にＣＣＡを実行し、次いで、端末は、上りリンクデータを送出する。前述のプロセスにおいて、基地局は、自己スケジューリングモードを使用して、上りリンクデータを送出するための上りリンクサブフレームをスケジュールし得る。具体的に、下りリンク制御情報が、アンライセンスキャリア上の下りリンクサブフレーム内で送出され、下りリンク制御情報は、上りリンクサブフレームをスケジュールするための上りリンクスケジューリング指示を含む。具体的に、１つの下りリンク制御情報が１つの下りリンクサブフレーム内で送出され、１つの下りリンクサブフレームと１つの上りリンクサブフレームとが下りリンク制御情報について対応してスケジュールされる。しかしながら、データ送信プロセスにおいて、スケジュールされる必要がある上りリンクサブフレームの数量が、スケジュールされる必要がある下りリンクサブフレームの数量よりもより大きい場合、自己スケジューリングモードは要件を満たすことができる。様々なスケジューリング要件をさらに満たすために、スケジュールされるべき上りリンクサブフレームの数量が、スケジュールされるべき下りリンクサブフレームの数量よりもより大きいとき、下りリンクサブフレームは、自己スケジューリングを使用することによりアンライセンスキャリア上にスケジュールされてよく、上りリンクサブフレームは、ライセンスキャリアを使用することによりキャリアにまたがりスケジュールされてよい。別法として、下りリンクサブフレームといくつかの上りリンクサブフレームとが、自己スケジューリングを使用することによりアンライセンスキャリア上にスケジュールされ、残りの上りリンクサブフレームは、ライセンスキャリアを使用することによりキャリアにまたがりスケジュールされる。
【０００４】
しかしながら、前述の方式で上りリンクサブフレームをスケジュールするプロセスにおいて、１つの上りリンクサブフレームのスケジューリングは、１つの下りリンク制御情報内の上りリンクスケジューリング指示情報を必要とし、基地局は、大抵、複数の上りリンクサブフレームをスケジュールする必要がある。ゆえに、複数の下りリンクサブフレーム内の上りリンクスケジューリング指示情報が必要とされ、基地局と端末との間の重いシグナリングオーバーヘッドの問題を結果としてもたらす。
【発明の概要】
【０００５】
本発明の実施例は、サブフレームスケジューリングプロセスにおける基地局と端末との間のシグナリングオーバーヘッドを低減するための無線通信方法、基地局、及び端末を提供する。
【０００６】
第１の態様によれば、本発明の実施例は無線通信方法を提供し、該方法は、
基地局により、下りリンク制御情報を端末に送出するステップであり、下りリンク制御情報は、上りリンクスケジューリング指示情報を含み、上りリンクスケジューリング指示情報は、１つ以上のアンライセンスキャリア上の複数の上りリンクサブフレーム内で上りリンクデータを送出するように端末に命令するために使用される、ステップ
を含む。
【０００７】
この実現方式において、基地局は、下りリンク制御情報を端末に送出し、下りリンク制御情報は、上りリンクスケジューリング指示情報を含み、上りリンクスケジューリング指示情報は、少なくとも１つのアンライセンスキャリア上の複数の上りリンクサブフレーム内で上りリンクデータを送出するように端末に命令するために使用され、それにより、端末は、上りリンクスケジューリング指示情報に基づき１つ以上の対応するアンライセンスキャリア上の複数の上りリンクサブフレーム内で上りリンクデータを送出し、これにより、１つの下りリンク制御情報内の上りリンクスケジューリング指示情報を使用することにより、上りリンク送信を実行するための複数の上りリンクサブフレームのスケジューリングを実現する。これは、スケジューリングシグナリングオーバーヘッドを効果的に低減すると同時にデータ送信におけるデータボリュームを増加させる。
【０００８】
第１の態様を参照し、第１の態様の可能な実現方式において、基地局により、下りリンク制御情報を端末に送出するステップは、基地局により、アンライセンスキャリアを使用することにより下りリンク制御情報を端末に送出するステップ、又は、
基地局により、ライセンスキャリアを使用することにより下りリンク制御情報を端末に送出するステップ
を具体的に含んでよい。
【０００９】
この実現方式において、基地局は、アンライセンスキャリアを使用することにより下りリンク制御情報を端末に送出し、すなわち、アンライセンスキャリアの自己スケジューリングモードを使用することによりスケジューリングを実行してよい。別法として、基地局は、ライセンスキャリアを使用することによりクロスキャリアスケジューリングを実行してよい。具体的に言えば、基地局は、制御シグナリングを送出するためのキャリアを柔軟に選択してよい。ライセンスキャリアを使用することにより下りリンク制御情報を送出することは、制御シグナリングの送信信頼性をさらに改善し得る。
【００１０】
第１の態様又は第１の態様の前述の可能な実現方式のいずれかを参照し、第１の態様の別の可能な実現方式において、基地局により、下りリンク制御情報を端末に送出するステップは、
基地局により、１つの下りリンクサブフレームを使用することにより１つの下りリンク制御情報を端末に送出するステップ
を含む。
【００１１】
具体的に言えば、基地局は、１つの下りリンクサブフレームを使用することにより端末に対して、少なくとも１つのアンライセンスキャリア上の複数の上りリンクサブフレーム内で上りリンクデータを送出するように端末に命令するために使用される１つの下りリンク制御情報を送出する。
【００１２】
第１の態様又は第１の態様の前述の可能な実現方式のいずれかを参照し、第１の態様の別の可能な実現方式において、基地局により、下りリンク制御情報を端末に送出するステップは、
基地局により、１つの下りリンクサブフレームを使用することにより複数の下りリンク制御情報を端末に送出するステップ、を含み、
下りリンクサブフレームに対応するキャリアは、アンライセンスキャリア及びライセンスキャリアを含み、各々の下りリンク制御情報が、上りリンクスケジューリング指示情報を含み、上りリンクスケジューリング指示情報は、少なくとも１つのアンライセンスキャリア上の少なくとも１つの上りリンクサブフレーム内で上りリンクデータを送出するように端末に命令するために使用される。
【００１３】
任意選択で、１つの下りリンク制御情報は、複数の上りリンクスケジューリング指示情報をさらに含んでよい。
【００１４】
この実現方式において、基地局は、異なるキャリアの１つの下りリンクサブフレームを使用することにより複数の下りリンク制御情報を送出して複数の上りリンクサブフレームをスケジュールし、あるいは、１つの下りリンク制御情報を使用することにより複数の上りリンクスケジューリング指示情報を送出し、１つの上りリンクスケジューリング指示情報は、上りリンク送信を実行するように１つの上りリンクサブフレームをスケジュールするために使用され、これにより、複数の上りリンクサブフレームをスケジュールする。このスケジューリングモードは、より柔軟なスケジューリングを実現し得る。
【００１５】
第１の態様又は第１の態様の前述の可能な実現方式のいずれかを参照し、第１の態様の別の可能な実現方式において、当該方法は、
基地局により、無線リソース制御シグナリングを端末に送出するステップであり、無線リソース制御シグナリングはシステム構成情報を含み、システム構成情報は、連続上りリンクサブフレームの数量と開始上りリンクサブフレーム周期とを含む、ステップ、さらに含み、
上りリンクスケジューリング指示情報は、開始上りリンクサブフレーム位置情報及び開始上りリンクサブフレームオフセットを含む。
【００１６】
この実現方式において、基地局は、ＲＲＣシグナリングを上りリンクスケジューリング指示情報と協調させる方式で上りリンクサブフレームスケジューリングを実行し、これにより、シグナリングオーバーヘッドを効果的に低減し、またスケジューリング柔軟性を効果的に改善する。
【００１７】
第２の態様によれば、本発明の実施例は無線通信方法を提供し、該方法は、
端末により、基地局により送出された下りリンク制御情報を受信するステップであり、下りリンク制御情報は、上りリンクスケジューリング指示情報を含む、ステップと、
端末により、上りリンクスケジューリング指示情報に基づき少なくとも１つのアンライセンスキャリア上の複数の上りリンクサブフレーム内で上りリンクデータを送出するステップと、
を含む。
【００１８】
第２の態様を参照し、第２の態様の別の可能な実現方式において、端末により、基地局により送出された下りリンク制御情報を受信するステップは、
端末によりアンライセンスキャリアを使用することにより、基地局により送出された下りリンク制御情報を受信するステップ、又は、
端末によりライセンスキャリアを使用することにより、基地局により送出された下りリンク制御情報を受信するステップ
を含む。
【００１９】
第２の態様又は第２の態様の前述の可能な実現方式のいずれかを参照し、第２の態様の別の可能な実現方式において、端末により、基地局により送出された下りリンク制御情報を受信するステップは、
端末により１つの下りリンクサブフレームを使用することにより、基地局により送出された複数の下りリンク制御情報を受信するステップであり、下りリンクサブフレームに対応するキャリアは、アンライセンスキャリア及びライセンスキャリアを含み、下りリンク制御情報は、上りリンクスケジューリング指示情報を含む、ステップ、を含み、
端末により、上りリンクスケジューリング指示情報に基づき少なくとも１つのアンライセンスキャリア上の複数の上りリンクサブフレーム内で上りリンクデータを送出するステップは、
端末により、複数の上りリンクスケジューリング指示情報に基づき１つのアンライセンスキャリア上の複数の上りリンクサブフレーム内で別個に上りリンクデータを送出するステップ、を含み、
上りリンクスケジューリング指示情報は、上りリンクサブフレームに対して１対１の対応関係にある。
【００２０】
第２の態様又は第２の態様の前述の可能な実現方式のうちいずれか１つを参照し、第２の態様の別の可能な実現方式において、当該方法は、
端末により、上りリンクスケジューリング指示情報に基づき上りリンクサブフレーム開始位置情報と連続上りリンクサブフレームの数量とを取得するステップ、をさらに含み、
端末により、上りリンクスケジューリング指示情報に基づき少なくとも１つのアンライセンスキャリア上の複数の上りリンクサブフレーム内で上りリンクデータを送出するステップは、
端末により、上りリンクサブフレーム開始位置と連続上りリンクサブフレームの数量とに基づき複数の上りリンクサブフレームを決定するステップと、
端末により、複数の上りリンクサブフレーム内で上りリンクデータを送出するステップと、
を含む。
【００２１】
第２の態様又は第２の態様の前述の可能な実現方式のうちいずれか１つを参照し、第２の態様の別の可能な実現方式において、当該方法は、
端末により、上りリンクスケジューリング指示情報に基づき開始上りリンクサブフレーム周期及び開始上りリンクサブフレームオフセットを取得するステップ、をさらに含み、
端末により、上りリンクスケジューリング指示情報に基づき少なくとも１つのアンライセンスキャリア上の複数の上りリンクサブフレーム内で上りリンクデータを送出するステップは、
端末により、上りリンクサブフレーム開始位置と、連続上りリンクサブフレームの数量と、開始上りリンクサブフレーム周期と、開始上りリンクサブフレームオフセットとに基づき複数の上りリンクサブフレームを決定するステップと、
端末により、複数の上りリンクサブフレーム内で上りリンクデータを送出するステップと、
を含む。
【００２２】
第２の態様又は第２の態様の前述の可能な実現方式のうちいずれか１つを参照し、第２の態様の別の可能な実現方式において、当該方法は、
端末により、上りリンクスケジューリング指示情報に基づきキャリアインデックスを取得するステップ、をさらに含み、
端末により、上りリンクスケジューリング指示情報に基づき少なくとも１つのアンライセンスキャリア上の複数の上りリンクサブフレーム内で上りリンクデータを送出するステップは、
端末により、上りリンクサブフレーム開始位置と、連続上りリンクサブフレームの数量と、キャリアインデックスとに基づき複数のアンライセンスキャリア上の複数の上りリンクサブフレームを決定するステップと、
端末により、複数のアンライセンスキャリア上の複数の上りリンクサブフレーム内で上りリンクデータを送出するステップと、
を含む。
【００２３】
第２の態様又は第２の態様の前述の可能な実現方式のいずれかを参照し、第２の態様の別の可能な実現方式において、上りリンクスケジューリング指示情報は、開始上りリンクサブフレーム位置情報及び開始上りリンクサブフレームオフセットを含み、当該方法は、
端末により、基地局により送出された無線リソース制御シグナリングを受信するステップであり、無線リソース制御シグナリングはシステム構成情報を含む、ステップと、
端末により、システム構成情報に基づき連続上りリンクサブフレームの数量と開始上りリンクサブフレーム周期とを取得するステップと、
をさらに含み、
端末により、上りリンクスケジューリング指示情報に基づき少なくとも１つのアンライセンスキャリア上の複数の上りリンクサブフレーム内で上りリンクデータを送出するステップは、
端末により、無線リソース制御シグナリング及び上りリンクスケジューリング指示情報に基づき少なくとも１つのアンライセンスキャリア上の複数の上りリンクサブフレーム内で上りリンクデータを送出するステップ、を含む。
【００２４】
第３の態様によれば、本発明の実施例は基地局を提供し、該基地局は、
処理モジュールにより生成された下りリンク制御情報を端末に送出するように構成された送出モジュールであり、下りリンク制御情報は、上りリンクスケジューリング指示情報を含み、上りリンクスケジューリング指示情報は、少なくとも１つのアンライセンスキャリア上の複数の上りリンクサブフレーム内で上りリンクデータを送出するように端末に命令するために使用される、送出モジュール
を含む。
【００２５】
第３の態様を参照し、第３の態様の別の可能な実現方式において、送出モジュールは、
アンライセンスキャリアを使用することにより下りリンク制御情報を端末に送出し、あるいは、
基地局により、ライセンスキャリアを使用することにより下りリンク制御情報を端末に送出する
ように具体的に構成される。
【００２６】
第３の態様又は第３の態様の前述の可能な実現方式のいずれかを参照し、第３の態様の別の可能な実現方式において、送出モジュールは、
１つの下りリンクサブフレームを使用することにより１つの下りリンク制御情報を端末に送出する
ように具体的に構成される。
【００２７】
第３の態様又は第３の態様の前述の可能な実現方式のいずれかを参照し、第３の態様の別の可能な実現方式において、送出モジュールは、１つの下りリンクサブフレームを使用することにより複数の下りリンク制御情報を端末に送出するように具体的に構成され、
下りリンクサブフレームに対応するキャリアは、アンライセンスキャリア及びライセンスキャリアを含み、各々の下りリンク制御情報が、上りリンクスケジューリング指示情報を含み、上りリンクスケジューリング指示情報は、少なくとも１つのアンライセンスキャリア上の少なくとも１つの上りリンクサブフレーム内で上りリンクデータを送出するように端末に命令するために使用される。
【００２８】
第３の態様又は第３の態様の前述の可能な実現方式のいずれかを参照し、第３の態様の別の可能な実現方式において、送出モジュールは、処理モジュールにより生成された無線リソース制御シグナリングを端末に送出するようにさらに構成され、無線リソース制御シグナリングはシステム構成情報を含み、システム構成情報は、連続上りリンクサブフレームの数量と開始上りリンクサブフレーム周期とを含み、
上りリンクスケジューリング指示情報は、開始上りリンクサブフレーム位置情報及び開始上りリンクサブフレームオフセットを含む。
【００２９】
第４の態様によれば、本発明の実施例は端末を提供し、該端末は、
基地局により送出された下りリンク制御情報を受信するように構成された受信モジュールであり、下りリンク制御情報は、上りリンクスケジューリング指示情報を含む、受信モジュールと、
上りリンクスケジューリング指示情報に基づき少なくとも１つのアンライセンスキャリア上の複数の上りリンクサブフレーム内で上りリンクデータを送出するように構成された処理モジュールと、
を含む。
【００３０】
第４の態様を参照し、第４の態様の別の可能な実現方式において、受信モジュールは、
アンライセンスキャリアを使用することにより、基地局により送出された下りリンク制御情報を受信し、あるいは、
ライセンスキャリアを使用することにより、基地局により送出された下りリンク制御情報を受信する
ように具体的に構成される。
【００３１】
第４の態様又は第４の態様の前述の可能な実現方式のいずれかを参照し、第４の態様の別の可能な実現方式において、受信モジュールは、１つの下りリンクサブフレームを使用することにより、基地局により送出された複数の下りリンク制御情報を受信するように具体的に構成され、下りリンクサブフレームに対応するキャリアは、アンライセンスキャリア及びライセンスキャリアを含み、各々の下りリンク制御情報が、上りリンクスケジューリング指示情報を含み、
処理モジュールは、複数の上りリンクスケジューリング指示情報に基づき１つのアンライセンスキャリア上の複数の上りリンクサブフレーム内で別個に上りリンクデータを送出するように具体的に構成され、
上りリンクスケジューリング指示情報は、上りリンクサブフレームに対して１対１の対応関係にある。
【００３２】
第４の態様又は第４の態様の前述の可能な実現方式のうちいずれか１つを参照し、第４の態様の別の可能な実現方式において、処理モジュールは、上りリンクスケジューリング指示情報に基づき上りリンクサブフレーム開始位置情報と連続上りリンクサブフレームの数量とを取得するようにさらに構成され、
処理モジュールが、上りリンクスケジューリング指示情報に基づき少なくとも１つのアンライセンスキャリア上の複数の上りリンクサブフレーム内で上りリンクデータを送出するように構成されることは、
上りリンクサブフレーム開始位置と連続上りリンクサブフレームの数量とに基づき複数の上りリンクサブフレームを決定することと、
複数の上りリンクサブフレーム内で上りリンクデータを送出することと、
を含む。
【００３３】
第４の態様又は第４の態様の前述の可能な実現方式のうちいずれか１つを参照し、第４の態様の別の可能な実現方式において、処理モジュールは、上りリンクスケジューリング指示情報に基づき開始上りリンクサブフレーム周期及び開始上りリンクサブフレームオフセットを取得するようにさらに構成され、
処理モジュールが、上りリンクスケジューリング指示情報に基づき少なくとも１つのアンライセンスキャリア上の複数の上りリンクサブフレーム内で上りリンクデータを送出するように構成されることは、
上りリンクサブフレーム開始位置と、連続上りリンクサブフレームの数量と、開始上りリンクサブフレーム周期と、開始上りリンクサブフレームオフセットとに基づき複数の上りリンクサブフレームを決定することと、
複数の上りリンクサブフレーム内で上りリンクデータを送出することと、
を含む。
【００３４】
第４の態様又は第４の態様の前述の可能な実現方式のうちいずれか１つを参照し、第４の態様の別の可能な実現方式において、処理モジュールは、上りリンクスケジューリング指示情報に基づきキャリアインデックスを取得するようにさらに構成され、
処理モジュールが、上りリンクスケジューリング指示情報に基づき少なくとも１つのアンライセンスキャリア上の複数の上りリンクサブフレーム内で上りリンクデータを送出するように構成されることは、
上りリンクサブフレーム開始位置と、連続上りリンクサブフレームの数量と、キャリアインデックスとに基づき複数のアンライセンスキャリア上の複数の上りリンクサブフレームを決定することと、
複数のアンライセンスキャリア上の複数の上りリンクサブフレーム内で上りリンクデータを送出することと、
を含む。
【００３５】
第４の態様又は第４の態様の前述の可能な実現方式のうちいずれか１つを参照し、第４の態様の別の可能な実現方式において、上りリンクスケジューリング指示情報は、開始上りリンクサブフレーム位置情報及び開始上りリンクサブフレームオフセットを含み、受信モジュールは、基地局により送出された無線リソース制御シグナリングを受信するようにさらに構成され、無線リソース制御シグナリングはシステム構成情報を含み、
処理モジュールは、システム構成情報に基づき連続上りリンクサブフレームの数量と開始上りリンクサブフレーム周期とを取得するようにさらに構成され、
処理モジュールが、上りリンクスケジューリング指示情報に基づき少なくとも１つのアンライセンスキャリア上の複数の上りリンクサブフレーム内で上りリンクデータを送出するように構成されることは、
無線リソース制御シグナリング及び上りリンクスケジューリング指示情報に基づき少なくとも１つのアンライセンスキャリア上の複数の上りリンクサブフレーム内で上りリンクデータを送出すること
を含む。
【００３６】
第５の態様によれば、本発明の実施例は基地局を提供し、当該基地局は送受信機、メモリ、バスシステム、及び少なくとも１つのプロセッサを含み、送受信機、メモリ、及び少なくとも１つのプロセッサはバスシステムを使用することにより接続され、
メモリは１つ以上のプログラムを記憶し、１つ以上のプログラムは命令を含み、命令が当該基地局により実行されたとき、当該基地局は第１の態様又は第１の態様の可能な実現方式のうちいずれか１つに記載の方法を実行する。
【００３７】
第６の態様によれば、本発明の実施例は端末を提供し、当該端末は送受信機、メモリ、バスシステム、及び少なくとも１つのプロセッサを含み、前記送受信機、前記メモリ、及び前記少なくとも１つのプロセッサは前記バスシステムを使用することにより接続され、
前記メモリは１つ以上のプログラムを記憶し、前記１つ以上のプログラムは命令を含み、前記命令が当該端末により実行されたとき、当該端末は第２の態様又は第２の態様の可能な実現方式のうちいずれか１つに記載の方法を実行する。
【００３８】
前述の態様のいずれか、又は前述のいずれかの態様のいずれかの可能な実現方式を参照し、上りリンクスケジューリング指示情報は、開始上りリンクサブフレーム位置情報と連続上りリンクサブフレームの数量とを含む。
【００３９】
前述の態様のいずれか、又は前述のいずれかの態様のいずれかの可能な実現方式を参照し、上りリンクスケジューリング指示情報は、開始上りリンクサブフレーム周期及び開始上りリンクサブフレームオフセットをさらに含む。
【００４０】
前述の態様のいずれか、又は前述のいずれかの態様のいずれかの可能な実現方式を参照し、上りリンクスケジューリング指示情報は、キャリアインデックスをさらに含む。
【００４１】
前述の態様のいずれか、又は前述のいずれかの態様のいずれかの可能な実現方式を参照し、上りリンクスケジューリング指示情報を送出するための下りリンクサブフレームのインデックスとスケジュールされた上りリンクサブフレームのインデックスとの間の差は、可変値であり、整数である。
【００４２】
前述の態様のいずれか、又は前述のいずれかの態様のいずれかの可能な実現方式を参照し、スケジュールされた上りリンクサブフレームと、下りリンク制御情報を送出するための下りリンクサブフレームとは、同じ最大チャネル占有時間ＭＣＯＴ内に入る。
【００４３】
本発明の実施例における無線通信方法、基地局、及び端末によれば、基地局は、下りリンク制御情報を端末に送出し、下りリンク制御情報は、上りリンクスケジューリング指示情報を含み、上りリンクスケジューリング指示情報は、少なくとも１つのアンライセンスキャリア上の複数の上りリンクサブフレーム内で上りリンクデータを送出するように端末に命令するために使用され、それにより、端末は、上りリンクスケジューリング指示情報に基づき１つ以上の対応するアンライセンスキャリア上の複数の上りリンクサブフレーム内で上りリンクデータを送出し、これにより、１つの下りリンク制御情報内の上りリンクスケジューリング指示情報を使用することにより、上りリンク送信を実行するための複数の上りリンクサブフレームのスケジューリングを実現する。これは、スケジューリングシグナリングオーバーヘッドを効果的に低減すると同時にデータ送信におけるデータボリュームを増加させる。
【図面の簡単な説明】
【００４４】
本発明の実施例又は従来技術における技術的解決策をより明確に説明するために、実施例又は従来技術を説明するために必要な添付図面を下記で簡単に説明する。明らかに、下記の説明における添付図面は本発明のいくつかの実施例を示し、当業者は、創造的取り組みなしにこれらの添付図面から他の図面をさらに導き得る。
【図１】端末と基地局との間の通信の概略図である。
【図２】本発明による無線通信方法の第１の実施例のシグナリング相互作用図である。
【図３】本発明による上りリンクサブフレームスケジューリングモードの概略図である。
【図４】本発明による別の上りリンクサブフレームスケジューリングモードの概略図である。
【図５】本発明によるさらに別の上りリンクサブフレームスケジューリングモードの概略図である。
【図６】本発明によるさらに別の上りリンクサブフレームスケジューリングモードの概略図である。
【図７】本発明による上りリンクスケジューリング指示情報の一タイプの概略構造図である。
【図８】本発明による別のタイプの上りリンクスケジューリング指示情報の概略構造図である。
【図９】本発明によるさらに別のタイプの上りリンクスケジューリング指示情報の概略構造図である。
【図１０】本発明によるさらに別のタイプの上りリンクスケジューリング指示情報の概略構造図である。
【図１１Ａ】本発明によるＲＲＣシグナリングの一タイプの概略構造図である。
【図１１Ｂ】本発明によるさらに別のタイプの上りリンクスケジューリング指示情報の概略構造図である。
【図１２】本発明による基地局の第１の実施例の概略構造図である。
【図１３】本発明による端末の第１の実施例の概略構造図である。
【図１４】本発明による基地局の第２の実施例の概略構造図である。
【図１５】本発明による端末の第２の実施例の概略構造図である。
【発明を実施するための形態】
【００４５】
本発明の実施例の目的、技術的解決策、及び利点をより明確にするために、本発明の実施例における技術的解決策を本発明の実施例における添付図面を参照して下記で明確かつ完全に説明する。明らかに、説明される実施例は、本発明の実施例のいくつかであり、すべてではない。創造的取り組みなしに本発明の実施例に基づき当業者により得られるすべての他の実施例は、本発明の保護範囲内に入るものとする。
【００４６】
本発明の実施例は無線通信方法を開示し、具体的に、上りリンクスケジューリング方法に関する。本発明のこの実施例は、無線通信システム、例えば、ＬＡＡ‐ＬＴＥシステムに適用されてよい。図１は、端末と基地局との間の通信の概略図である。図１に示されるように、基地局と端末とは、ライセンスキャリア（licensed  carrier）及びアンライセンスキャリア（unlicensed  carrier）を使用することによりデータを交換することができる。ライセンスキャリア及びアンライセンスキャリアの双方が、上りリンク及び下りリンクデータを送出するために使用でき、ライセンスキャリア及びアンライセンスキャリアの双方が、制御シグナリング及びサービスデータを送出するために使用できる。アンライセンスキャリアの周波数帯は、特定のシステムのために関連当局によりライセンスされておらず、無料及び共有などの特徴を有する。例として５ＧＨｚ周波数帯を使用すると、この周波数帯のキャリアは、ＷｉＦｉ、Ｂｌｕｅｔｏｏｔｈ、及び医療システムの信号を送信するために主に使用される。ＬＴＥシステムにおけるアンライセンスキャリアの使用（すなわち、ＬＡＡ‐ＬＴＥ）は、ＬＴＥシステムのデータスループットを効果的に改善し得る。本発明のこの実施例は、ＬＡＡ‐ＬＴＥシステムにおいて上りリンクサブフレームスケジューリングプロセスにおけるシグナリングオーバーヘッドを低減するために使用される。
【００４７】
図２は、本発明による無線通信方法の第１の実施例のシグナリング相互作用図である。図３は、本発明による上りリンクサブフレームスケジューリングモードの概略図である。図４は、本発明による別の上りリンクサブフレームスケジューリングモードの概略図である。図５は、本発明によるさらに別の上りリンクサブフレームスケジューリングモードの概略図である。図６は、本発明によるさらに別の上りリンクサブフレームスケジューリングモードの概略図である。図２に示されるように、この実施例の方法は下記のステップを含み得る。
【００４８】
ステップ１０１：基地局が下りリンク制御情報を端末に送出し、下りリンク制御情報は上りリンクスケジューリング指示情報を含む。
【００４９】
具体的に、基地局は、データスケジューリング要件に基づき下りリンク制御情報を生成することができる。下りリンク制御情報は、下りリンクスケジューリング指示情報及び上りリンクスケジューリング指示情報を含むことができる。具体的に言えば、上りリンク及び下りリンク双方のスケジューリング指示が、下りリンク制御情報を使用することにより端末に通知され、それにより、端末は、対応する下りリンクサブフレーム内で、基地局により送出された下りリンクデータを受信し、対応する上りリンクサブフレーム内で、上りリンクデータを基地局に送出する。
【００５０】
ステップ１０２：端末が、上りリンクスケジューリング指示情報に基づき少なくとも１つのアンライセンスキャリア上の複数の上りリンクサブフレーム内で上りリンクデータを送出する。
【００５１】
具体的に、下りリンク制御情報は、１つ以上のアンライセンスキャリア上の複数の上りリンクサブフレームをスケジュールするための上りリンクスケジューリング指示情報を含む。ゆえに、端末は、解析を通して上りリンクスケジューリング指示情報を取得し、上りリンクスケジューリング指示情報に基づき対応するキャリア上の上りリンクサブフレーム内で上りリンクデータを送出する。
【００５２】
ステップ１０１の可能な実現方式において、基地局は、アンライセンスキャリアを使用することにより下りリンク制御情報を端末に具体的に送出してよい。下りリンク制御情報は、アンライセンスキャリア上の複数の上りリンクサブフレームをスケジュールするために使用される。詳細について、図３を参照する。図３に示されるように、アンライセンスキャリア（ＳＣｅｌｌ）が、異なるサブフレーム内で下りリンク送信及び上りリンク送信を実行するために使用される。具体的に言えば、基地局は、アンライセンスキャリアを使用して制御情報を送出して、アンライセンスキャリア上の下りリンクサブフレーム及び上りリンクサブフレームをスケジュールする。換言すると、基地局は、自己スケジューリング（self-scheduling）モードを使用する。図３に示されるように、基地局は、アンライセンスキャリア上でＣＣＡを最初実行し、次いで、アンライセンスキャリアを使用することにより下りリンク制御情報を送出して、下りリンクサブフレーム及び上りリンクサブフレームのスケジューリングを実現する。具体的に、基地局は、アンライセンスキャリア上のサブフレームＮ内で１つの下りリンク制御情報を送出する。下りリンク制御情報は、下りリンクデータを送出するようにサブフレームＮをスケジュールするために使用され、上りリンク送信を実行するようにサブフレームＮ＋４をスケジュールするために使用される。基地局は、アンライセンスキャリア上のサブフレームＮ＋１内で別の下りリンク制御情報を送出する。下りリンク制御情報は、下りリンクデータを送出するようにサブフレームＮ＋１をスケジュールするために使用され、上りリンク送信を実行するようにサブフレームＮ＋５をスケジュールするために使用される。基地局は、アンライセンスキャリア上のサブフレームＮ＋２内で別の下りリンク制御情報を送出する。サブフレームＮ及びサブフレームＮ＋１内の下りリンク制御情報と異なり、サブフレームＮ＋２内の下りリンク制御情報は、下りリンクデータを送出するようにサブフレームＮ＋２をスケジュールするために使用され、上りリンク送信を実行するようにサブフレームＮ＋６、サブフレームＮ＋７、及びサブフレームＮ＋８をスケジュールするために使用される。３つのスケジュールされたサブフレームは不連続でもよく、スケジュールされるサブフレームの位置は必要に応じて柔軟に構成されてよい点に留意すべきである。
【００５３】
ステップ１０１の別の実現可能な実現方式において、基地局は、ライセンスキャリアを使用することにより下りリンク制御情報を端末に具体的に送出してよい。下りリンク制御情報は、アンライセンスキャリア上の複数の上りリンクサブフレームをスケジュールするために使用される。詳細について、図４を参照する。図４に示されるように、アンライセンスキャリア（ＳＣｅｌｌ）が、異なるサブフレーム内で下りリンク送信及び上りリンク送信を実行するために使用される。具体的に、基地局は、アンライセンスキャリア上でＣＣＡを最初実行し、次いで、アンライセンスキャリアを使用することにより下りリンク制御情報を送出する。アンライセンスキャリアを使用することにより送出された下りリンク制御情報は、下りリンク送信を実行するようにアンライセンスキャリア上のサブフレームをスケジュールすることにのみ使用される。図４に示されるように、下りリンク制御情報は、アンライセンスキャリア上のサブフレームＮ内で送出される。サブフレームＮ内の下りリンク制御情報は、下りリンク送信を実行するようにサブフレームＮをスケジュールすることにのみ使用される。アンライセンスキャリア上のサブフレームＮ＋１が、下りリンク送信を実行するようにサブフレームＮ＋１をスケジュールするために使用される。上りリンクサブフレームスケジューリングは、ライセンスキャリア（ＰＣｅｌｌ）を使用することによりサブフレームＮ−１内で下りリンク制御情報を送出することにより実現され得る。サブフレームＮ−１内の下りリンク制御情報は、上りリンク送信を実行するようにアンライセンスキャリア上のサブフレームＮ＋３、サブフレームＮ＋４、サブフレームＮ＋５、及びサブフレームＮ＋６をスケジュールするために使用される。換言すると、上りリンクサブフレームスケジューリングは、クロスキャリアスケジューリング（cross-carrier  scheduling）モードにおいて実行される。図４は単に例示的な説明のための例である点に留意すべきである。ライセンスキャリア上でクロスキャリア上りリンクサブフレームスケジューリングが実行される特定のサブフレームと、アンライセンスキャリア上で上りリンク送信を実行するようにスケジュールされる特定のサブフレーム（の量及び位置）との双方が、必要に応じて柔軟に構成できる。
【００５４】
ステップ１０１のさらに別の実現可能な実現方式において、基地局は、ライセンスキャリアを使用することにより下りリンク制御情報を端末に具体的に送出してよい。下りリンク制御情報は、アンライセンスキャリア上のいくつかの上りリンクサブフレームをスケジュールするために使用される。詳細について、図５を参照する。図５に示されるように、アンライセンスキャリア（ＳＣｅｌｌ）が、異なるサブフレーム内で下りリンク送信及び上りリンク送信を実行するために使用される。具体的に、基地局は、アンライセンスキャリア上でＣＣＡを最初実行し、次いで、アンライセンスキャリアを使用することにより下りリンク制御情報を送出する。アンライセンスキャリアを使用することにより送出された下りリンク制御情報は、下りリンク送信を実行するようにアンライセンスキャリア上のサブフレームをスケジュールし、上りリンク送信を実行するようにアンライセンスキャリア上のサブフレームをスケジュールするために使用される。図５に示されるように、下りリンク制御情報は、アンライセンスキャリア上のサブフレームＮ−１内で送出される。サブフレームＮ−１内の下りリンク制御情報は、下りリンク送信を実行するようにサブフレームＮ−１をスケジュールするために使用され、上りリンク送信を実行するようにサブフレームＮ＋３をスケジュールするために使用される。アンライセンスキャリア上のサブフレームＮが、下りリンク送信を実行するようにサブフレームＮをスケジュールするために使用され、上りリンク送信を実行するようにサブフレームＮ＋４をスケジュールするために使用される。アンライセンスキャリア上のサブフレームＮ＋２が、下りリンク送信を実行するようにサブフレームＮ＋２をスケジュールするために使用され、上りリンク送信を実行するようにサブフレームＮ＋６をスケジュールするために使用されるまで、以下同様である。このように、下りリンクサブフレームスケジューリングが完了された後、スケジュールされる必要があるアンライセンスキャリア上のサブフレームＮ＋７及びサブフレームＮ＋８が依然としてある。次いで、基地局は、ライセンスキャリア（ＰＣｅｌｌ）を使用することによりサブフレームＮ＋３内で下りリンク制御情報を送出して、上りリンク送信を実行するようにアンライセンスキャリア（ＳＣｅｌｌ）上のサブフレームＮ＋７及びサブフレームＮ＋８をスケジュールすることができる。図５は単に例示的な説明のための例である点に留意すべきである。ライセンスキャリア上でクロスキャリア上りリンクサブフレームスケジューリングが実行される特定のサブフレームと、アンライセンスキャリア上で上りリンク送信を実行するようにスケジュールされる特定のサブフレーム（の量及び位置）との双方が、必要に応じて柔軟に構成できる。
【００５５】
ステップ１０１のさらに別の実現可能な実現方式において、基地局は、ライセンスキャリアを使用することにより下りリンク制御情報を端末に具体的に送出してよい。下りリンク制御情報は、異なるアンライセンスキャリア上の上りリンクサブフレームをスケジュールするために使用される。詳細について、図６を参照する。図６に示されるように、アンライセンスキャリア（ＳＣｅｌｌ）が、異なるサブフレーム内で下りリンク送信及び上りリンク送信を実行するために使用される。具体的に、基地局は、アンライセンスキャリア上でＣＣＡを最初実行し、次いで、アンライセンスキャリアを使用することにより下りリンク制御情報を送出する。アンライセンスキャリアを使用することにより送出された下りリンク制御情報は、下りリンク送信を実行するようにアンライセンスキャリア上のサブフレームをスケジュールすることにのみ使用される。図６に示されるように、下りリンク制御情報は、アンライセンスキャリア１（ＳＣｅｌｌ  １）上のサブフレームＮ及びアンライセンスキャリア２（ＳＣｅｌｌ  ２）上のサブフレームＮ内で別個に送出される。２つのアンライセンスキャリア上のサブフレームＮ内の下りリンク制御情報は、下りリンク送信を実行するようにそれぞれのサブフレームＮをスケジュールするために使用される。アンライセンスキャリア１及びアンライセンスキャリア２上のサブフレームＮ＋１は、下りリンク送信を実行するようにそれぞれのサブフレームＮ＋１をスケジュールするために使用され、アンライセンスキャリア１及びアンライセンスキャリア２上のサブフレームＮ＋２は、下りリンク送信を実行するようにそれぞれのサブフレームＮ＋２をスケジュールするために使用される。このように、下りリンクサブフレームスケジューリングが完了された後、スケジュールされる必要があるアンライセンスキャリア１及びアンライセンスキャリア２上のサブフレームＮ＋４並びにアンライセンスキャリア１上のサブフレームＮ＋５が依然としてある。次いで、基地局は、ライセンスキャリア（ＰＣｅｌｌ）上でサブフレームＮを使用することにより下りリンク制御情報を送出して、上りリンク送信を実行するようにアンライセンスキャリア１及びアンライセンスキャリア２上のサブフレームＮ＋４並びにアンライセンスキャリア１上のサブフレームＮ＋５をスケジュールすることができる。図６は単に例示的な説明のための例である点に留意すべきである。ライセンスキャリア上でクロスキャリア上りリンクサブフレームスケジューリングが実行される特定のサブフレームと、アンライセンスキャリア上でスケジュールされる特定のサブフレーム（の量及び位置）との双方が、必要に応じて柔軟に構成できる。
【００５６】
上りリンクスケジューリング指示情報を送出するための下りリンクサブフレームのインデックスと、スケジュールされた上りリンクサブフレームのインデックスとの間の差は、可変値であり、整数である。例えば、図６に示されるように、ライセンスキャリア上の上りリンクスケジューリング指示情報を送出するためのサブフレームＮと、アンライセンスキャリア上のスケジュールされたサブフレームＮ＋４との間の間隔は、４であり、ライセンスキャリア上の上りリンクスケジューリング指示情報を送出するためのサブフレームＮと、アンライセンスキャリア上のスケジュールされたサブフレームＮ＋５との間の間隔は、５である。
【００５７】
具体的に、スケジュールされた上りリンクサブフレームと、下りリンク制御情報を送出するための下りリンクサブフレームとは、同じ最大チャネル占有時間（maximum  channel  occupancy  time）（ＭＣＯＴ）内に入る。
【００５８】
この実施例において、基地局は、下りリンク制御情報を端末に送出し、下りリンク制御情報は、上りリンクスケジューリング指示情報を含み、上りリンクスケジューリング指示情報は、少なくとも１つのアンライセンスキャリア上の複数の上りリンクサブフレーム内で上りリンクデータを送出するように端末に命令するために使用され、それにより、端末は、上りリンクスケジューリング指示情報に基づき１つ以上の対応するアンライセンスキャリア上の複数の上りリンクサブフレーム内で上りリンクデータを送出し、これにより、１つの下りリンク制御情報内の上りリンクスケジューリング指示情報を使用することにより、上りリンク送信を実行するための複数の上りリンクサブフレームのスケジューリングを実現する。これは、スケジューリングシグナリングオーバーヘッドを効果的に低減すると同時にデータ送信におけるデータボリュームを増加させる。
【００５９】
いくつかの特定の実施例を使用することにより前述の方法実施例の技術的解決策における上りリンクスケジューリング指示情報を下記で詳細に説明する。
【００６０】
図７は、本発明による上りリンクスケジューリング指示情報の一タイプの概略構造図である。図７に示されるように、この実施例における上りリンクスケジューリング指示情報は、開始上りリンクサブフレーム位置情報と連続上りリンクサブフレームの数量とを含むことができる。具体的に、図７に示される上りリンクスケジューリング指示情報は、連続サブフレームのスケジューリングに具体的に適用されてよい。例えば、図３に示されるスケジューリングシナリオにおいて、すなわち、アンライセンスキャリア上のサブフレームＮ＋２が、上りリンク送信を実行するようにサブフレームＮ＋６、サブフレームＮ＋７、及びサブフレームＮ＋８をスケジュールするために使用されるとき、図７に示される実施例における上りリンクスケジューリング指示情報の構造が使用されてよい。上りリンクスケジューリング指示情報は、開始上りリンクサブフレーム位置情報（サブフレームＮ＋６）と、連続上りリンクサブフレームの数量（３）とを搬送することのみ必要である。図７に示される上りリンクスケジューリング指示情報は、デフォルトキャリアのインデックスであり得る点に留意すべきである。この場合、端末が解析を通して、キャリアを搬送しないインデックスを取得したとき、上りリンクデータを送出するためのキャリアと上りリンクスケジューリング指示情報を受信するためのキャリアとが、同じキャリアと考えられてよい。開始上りリンクサブフレーム位置情報は、具体的に、開始上りリンクサブフレームインデックス（start  subframe  index）であり得る。
【００６１】
図８は、本発明による別のタイプの上りリンクスケジューリング指示情報の概略構造図である。図８に示されるように、この実施例における上りリンクスケジューリング指示情報は、図７に示される構造に基づき、キャリアインデックスをさらに含むことができる。端末が、キャリアインデックスに基づき、上りリンク送信を実行するためのサブフレームに対応するキャリアを決定することができ、それにより、対応するサブフレーム上で上りリンクデータ送信が実行される。例えば、図４に示されるスケジューリングシナリオにおいて、すなわち、上りリンクスケジューリング指示情報がライセンスキャリア（ＰＣｅｌｌ）上のサブフレームＮ＋１内で送出されるとき、サブフレームＮ＋１内の上りリンクスケジューリング指示情報が、上りリンク送信を実行するようにアンライセンスキャリア上のサブフレームＮ＋３、サブフレームＮ＋４、サブフレームＮ＋５、及びサブフレームＮ＋６をスケジュールするために使用される場合、図８に示される実施例における上りリンクスケジューリング指示情報の構造が使用されてよい。上りリンクスケジューリング指示情報は、キャリアインデックス（ＰＣｅｌｌのインデックス）と、開始上りリンクサブフレーム位置情報（サブフレームＮ＋３）と、連続上りリンクサブフレームの数量（４）とを搬送する必要がある。
【００６２】
図９は、本発明によるさらに別のタイプの上りリンクスケジューリング指示情報の概略構造図である。図７及び図８に示される上りリンクスケジューリング指示情報は、連続サブフレームをスケジュールするために使用される。図９に示される上りリンクスケジューリング指示情報の構造を使用することにより、不連続サブフレームがスケジュールされ得る。図９に示されるように、この実施例における上りリンクスケジューリング指示情報は、各々の連続部分の開始サブフレーム位置情報と連続サブフレームの数量とを含むことができる。例えば、アンライセンスキャリア上のサブフレームＮが、サブフレームＮ＋５、サブフレームＮ＋６、及びサブフレームＮ＋８をスケジュールするために使用されるとき、アンライセンスキャリア上のサブフレームＮ内の上りリンクスケジューリング指示情報は、第１の連続部分の開始上りリンクサブフレーム位置情報（Ｎ＋５）及び連続サブフレームの数量（２）と、第２の連続部分の開始上りリンクサブフレーム位置情報（Ｎ＋８）及び連続サブフレームの数量（０）とを含み得る。前述の方式は、より多くのサブフレームのスケジューリングに使用されてよい。詳細はここで一つずつ説明されない。
【００６３】
図１０は、本発明によるさらに別のタイプの上りリンクスケジューリング指示情報の概略構造図である。図９に示される上りリンクスケジューリング指示情報の構造と異なり、この実施例における上りリンクスケジューリング指示情報は、固定間隔開始位置でサブフレームのスケジューリングを示すために使用される。図１０に示されるように、この実施例における上りリンクスケジューリング指示情報は、開始上りリンクサブフレーム位置情報と、上りリンクサブフレームの数量と、開始上りリンクサブフレーム周期（start  subframe  peorid）と、開始上りリンクサブフレームオフセット（start  subframe  offset）とを含むことができる。例えば、アンライセンスキャリア上のサブフレームＮが、サブフレームＮ＋５、サブフレームＮ＋６、サブフレームＮ＋８、及びサブフレームＮ＋９をスケジュールするために使用されるとき、アンライセンスキャリア上のサブフレームＮ内の上りリンクスケジューリング指示情報は、開始上りリンクサブフレーム位置情報（Ｎ＋４）と、上りリンクサブフレームの数量（２）と、開始上りリンクサブフレーム周期（３）と、開始上りリンクサブフレームオフセット（１）とを含み得る。前述の方式は、より多くのサブフレームのスケジューリングに使用されてよい。詳細はここで一つずつ説明されない。
【００６４】
異なるキャリア上の不連続サブフレームが、上りリンク送信を実行するようにスケジュールされる必要があるとき、図９及び図１０に示される上りリンクスケジューリング指示情報に基づいて、上りリンクスケジューリング指示情報は、キャリアインデックスをさらに含み、対応するキャリア上のサブフレーム内で上りリンク送信を実行するように命令することができる。
【００６５】
図１１Ａは、本発明によるＲＲＣシグナリングの一タイプの概略構造図であり、図１１Ｂは、本発明によるさらに別のタイプの上りリンクスケジューリング指示情報の概略構造図である。図９に示される上りリンクスケジューリング指示情報の構造と異なり、この実施例における上りリンクスケジューリング指示情報は、上りリンクスケジューリング指示パラメータの一部（比較的動的なパラメータ）を搬送することにのみ使用され、上りリンクスケジューリング指示パラメータの残りの部分（比較的静的なパラメータ）は、ＲＲＣシグナリングを使用することにより端末に送出される。具体的に、図１１Ａ及び図１１Ｂに示されるように、上りリンクスケジューリング指示パラメータは、ＲＲＣシグナリングと上りリンクスケジューリング指示情報とを組み合わせる方式で送出され、それにより、端末は、ＲＲＣシグナリング及び上りリンクスケジューリング指示情報に基づき、上りリンクデータを送出するために使用できるサブフレームを習得することができる。具体的に、ＲＲＣシグナリングは、連続上りリンクサブフレームの数量と開始上りリンクサブフレーム周期とを含むことができる。対応して、上りリンクスケジューリング指示情報は、開始上りリンクサブフレーム位置情報及び開始上りリンクサブフレームオフセットを含むことができる。さらに、ＲＲＣシグナリングは、ＭＣＳ（Modulation  and  Coding  Scheme、変調及び符号化方式）などのパラメータ情報をさらに含んでよく、上りリンクスケジューリング指示情報は、リソース割り振り情報及びＴＰＣ（Transmission  Power  Control、送信電力制御）などのパラメータ情報をさらに含んでよい。
【００６６】
図１２は、本発明による基地局の第１の実施例の概略構造図である。図１２に示されるように、この実施例における装置は、送出モジュール１１及び処理モジュール１２を含み得る。送出モジュール１１は、処理モジュール１２により生成された下りリンク制御情報を端末に送出するように構成され、下りリンク制御情報は、上りリンクスケジューリング指示情報を含み、上りリンクスケジューリング指示情報は、少なくとも１つのアンライセンスキャリア上の複数の上りリンクサブフレーム内で上りリンクデータを送出するように端末に命令するために使用される。
【００６７】
任意選択で、送出モジュール１１は、アンライセンスキャリアを使用することにより下りリンク制御情報を端末に送出し、あるいは、
ライセンスキャリアを使用することにより下りリンク制御情報を端末に送出する、ように具体的に構成される。
【００６８】
任意選択で、送出モジュールは、１つの下りリンクサブフレームを使用することにより複数の下りリンク制御情報を端末に送出するように具体的に構成され、下りリンクサブフレームに対応するキャリアは、アンライセンスキャリア及びライセンスキャリアを含み、下りリンク制御情報は、複数の上りリンクスケジューリング指示情報を含み、上りリンクスケジューリング指示情報は、１つのアンライセンスキャリア上の１つの上りリンクサブフレーム内で上りリンクデータを送出するように端末に命令するために使用される。
【００６９】
送出モジュール１１は、処理モジュール１２により生成された無線リソース制御シグナリングを端末に送出するようにさらに構成され、無線リソース制御シグナリングはシステム構成情報を含み、システム構成情報は、連続上りリンクサブフレームの数量と開始上りリンクサブフレーム周期とを含み、上りリンクスケジューリング指示情報は、開始上りリンクサブフレーム位置情報及び開始上りリンクサブフレームオフセットを含む。
【００７０】
この実施例における装置は、図１に示される方法実施例における技術的解決策を実行するために使用されてよい。その実現原理及び技術的効果は同様である。詳細は再度ここで説明されない。
【００７１】
図１３は、本発明による端末の第１の実施例の概略構造図である。図１３に示されるように、この実施例における装置は、受信モジュール２１、処理モジュール２２、及び送出モジュール２３を含む。受信モジュール２１は、基地局により送出された下りリンク制御情報を受信するように構成され、下りリンク制御情報は、上りリンクスケジューリング指示情報を含む。処理モジュール２２は、送出モジュール２３を使用することにより、上りリンクスケジューリング指示情報に基づき少なくとも１つのアンライセンスキャリア上の複数の上りリンクサブフレーム内で上りリンクデータを送出するように構成される。
【００７２】
任意選択で、受信モジュール２１は、アンライセンスキャリアを使用することにより、基地局により送出された下りリンク制御情報を受信し、あるいは、
ライセンスキャリアを使用することにより、基地局により送出された下りリンク制御情報を受信する、ように具体的に構成される。
【００７３】
任意選択で、受信モジュール２１は、１つの下りリンクサブフレームを使用することにより、基地局により送出された複数の下りリンク制御情報を受信するように具体的に構成され、下りリンクサブフレームに対応するキャリアは、アンライセンスキャリア及びライセンスキャリアを含み、下りリンク制御情報は、上りリンクスケジューリング指示情報を含む。処理モジュール２２は、送出モジュール２３を使用することにより、複数の上りリンクスケジューリング指示情報に基づき１つのアンライセンスキャリア上の複数の上りリンクサブフレーム内で別個に上りリンクデータを送出するように具体的に構成され、上りリンクスケジューリング指示情報は、上りリンクサブフレームに対して１対１の対応関係にある。
【００７４】
任意選択で、処理モジュール２２は、上りリンクスケジューリング指示情報に基づき上りリンクサブフレーム開始位置情報と連続上りリンクサブフレームの数量とを取得するようにさらに構成され、
処理モジュール２２が、送出モジュール２３を使用することにより、上りリンクスケジューリング指示情報に基づき少なくとも１つのアンライセンスキャリア上の複数の上りリンクサブフレーム内で上りリンクデータを送出するように構成されることは、上りリンクサブフレーム開始位置と連続上りリンクサブフレームの数量とに基づき複数の上りリンクサブフレームを決定することと、複数の上りリンクサブフレーム内で上りリンクデータを送出することとを含む。
【００７５】
任意選択で、処理モジュール２２は、上りリンクスケジューリング指示情報に基づき開始上りリンクサブフレーム周期及び開始上りリンクサブフレームオフセットを取得するようにさらに構成され、
処理モジュール２２が、送出モジュール２３を使用することにより、上りリンクスケジューリング指示情報に基づき少なくとも１つのアンライセンスキャリア上の複数の上りリンクサブフレーム内で上りリンクデータを送出するように構成されることは、上りリンクサブフレーム開始位置と、連続上りリンクサブフレームの数量と、開始上りリンクサブフレーム周期と、開始上りリンクサブフレームオフセットとに基づき複数の上りリンクサブフレームを決定することと、送出モジュール２３を使用することにより複数の上りリンクサブフレーム内で上りリンクデータを送出することとを含む。
【００７６】
任意選択で、処理モジュールは、上りリンクスケジューリング指示情報に基づきキャリアインデックスを取得するようにさらに構成され、
処理モジュール２２が、送出モジュール２３を使用することにより、上りリンクスケジューリング指示情報に基づき少なくとも１つのアンライセンスキャリア上の複数の上りリンクサブフレーム内で上りリンクデータを送出するように構成されることは、上りリンクサブフレーム開始位置と、連続上りリンクサブフレームの数量と、キャリアインデックスとに基づき複数のアンライセンスキャリア上の複数の上りリンクサブフレームを決定することと、送出モジュール２３を使用することにより複数のアンライセンスキャリア上の複数の上りリンクサブフレーム内で上りリンクデータを送出することとを含む。
【００７７】
任意選択で、上りリンクスケジューリング指示情報は、開始上りリンクサブフレーム位置情報及び開始上りリンクサブフレームオフセットを含み、受信モジュールは、基地局により送出された無線リソース制御シグナリングを受信するようにさらに構成され、無線リソース制御シグナリングはシステム構成情報を含み、
処理モジュール２２は、システム構成情報に基づき連続上りリンクサブフレームの数量と開始上りリンクサブフレーム周期とを取得するようにさらに構成され、
処理モジュール２２が、送出モジュール２３を使用することにより、上りリンクスケジューリング指示情報に基づき少なくとも１つのアンライセンスキャリア上の複数の上りリンクサブフレーム内で上りリンクデータを送出するように構成されることは、
送出モジュール２３を使用することにより、無線リソース制御シグナリング及び上りリンクスケジューリング指示情報に基づき少なくとも１つのアンライセンスキャリア上の複数の上りリンクサブフレーム内で上りリンクデータを送出することを含む。
【００７８】
この実施例における装置は、前述の方法実施例における技術的解決策を実行するために使用されてよい。その実現原理及び技術的効果は同様である。詳細は再度ここで説明されない。
【００７９】
図１４は、本発明による基地局の第２の実施例の概略構造図である。図１４に示されるように、この実施例における基地局は、送受信機３１、メモリ３２、バスシステム３３、及び少なくとも１つのプロセッサ３４を含むことができ、送受信機３１、メモリ３２、及び少なくとも１つのプロセッサ３４は、バスシステム３３を使用することにより接続される。メモリ３２は１つ以上のプログラムを記憶し、１つ以上のプログラムは命令を含む。命令が基地局により実行されたとき、基地局は、前述の方法実施例のステップを実行する。
【００８０】
送受信機３１は、受信機及び送信機を使用することにより置換されてよい点に留意すべきである。前述の実施例における送出モジュール１１は、基地局の送受信機に対応してよい。処理モジュール１２は、基地局のプロセッサに対応してよく、プロセッサ３４は、中央処理ユニット（Central  Processing  Unit、ＣＰＵ）、又は特定用途向け集積回路（Application-Specific  Integrated  Circuit、ＡＳＩＣ）、又は本発明のこの実施例を完成させる１つ以上の集積回路であり得る。
【００８１】
図１５は、本発明による端末の第２の実施例の概略構造図である。図１５に示されるように、この実施例における端末は、送受信機４１、メモリ４２、バスシステム４３、及び少なくとも１つのプロセッサ４４を含むことができ、送受信機４１、メモリ４２、及び少なくとも１つのプロセッサ４４は、バスシステム４３を使用することにより接続される。メモリ４２は１つ以上のプログラムを記憶し、１つ以上のプログラムは命令を含む。命令が端末により実行されたとき、端末は、前述の方法実施例のステップを実行する。
【００８２】
送受信機４１は、受信機及び送信機を使用することにより置換されてよい点に留意すべきである。前述の実施例における受信モジュール２１及び送出モジュール２２は、端末の送受信機に対応してよく、処理モジュール２２は、端末のプロセッサに対応してよい。プロセッサ４４は、中央処理ユニット（Central  Processing  Unit、ＣＰＵ）、又は特定用途向け集積回路（Application-Specific  Integrated  Circuit、ＡＳＩＣ）、又は本発明のこの実施例を完成させる１つ以上の集積回路であり得る。
【００８３】
本発明において提供されるいくつかの実施例において、開示された装置及び方法は他の方式で実現されてもよいことが理解されるべきである。例えば、説明された装置実施例は単に例である。例えば、ユニット分割は単に論理機能分割であり、実際の実現において他の分割でもよい。例えば、複数のユニット又はコンポーネントが組み合わせられ、あるいは別のシステムに統合されてよく、あるいは、いくつかの特徴が無視され、あるいは実行されなくてよい。さらに、表示され又は論じられた相互結合又は直接結合又は通信接続は、いくつかのインターフェースを使用することにより実現されてよい。装置又はユニット間の間接結合又は通信接続は、電子的、機械的、又は他の形式で実現されてよい。
【００８４】
別個の部分として説明されたユニットが、物理的に別個でも又はそうでなくてもよく、ユニットとして表示された部分が、物理ユニットでも又はそうでなくてもよく、１つの位置に位置してよく、あるいは複数のネットワークユニット上に分散されてよい。ユニットのうちいくつか又はすべてが、実施例の解決策の目的を達成するための実際の必要に基づき選択されてよい。
【００８５】
さらに、本発明の実施例における機能ユニットは１つの処理ユニットに統合されてよく、あるいは、ユニットの各々が物理的に単体で存在してよく、あるいは、２つ以上のユニットが１つのユニットに統合される。統合されたユニットは、ハードウェアの形式で実現されてよく、あるいはソフトウェア機能ユニットに追加でハードウェアの形式で実現されてよい。
【００８６】
前述の統合されたユニットがソフトウェア機能ユニットの形式で実現されるとき、統合されたユニットはコンピュータ読取可能記憶媒体に記憶されてよい。ソフトウェア機能ユニットは記憶媒体に記憶され、本発明の実施例において説明された方法のステップの一部を実行するようにコンピュータデバイス（これはパーソナルコンピュータ、サーバ、又はネットワークデバイスであり得る）又はプロセッサ（processor）に命令するためのいくつかの命令を含む。前述の記憶媒体は、プログラムコードを記憶できる任意の媒体、例えば、ＵＳＢフラッシュドライブ、取外し可能ハードディスク、読取専用メモリ（Read-Only  Memory、ＲＯＭ）、ランダムアクセスメモリ（Random  Access  Memory、ＲＡＭ）、磁気ディスク、又は光ディスクなどを含む。
【００８７】
簡便かつ簡潔な説明を目的として、前述の機能モジュールの分割は例示のための例とみなされることが当業者により明確に理解され得る。実際の適用において、前述の機能は、異なる機能モジュールに割り振られ、要件に基づき実現されてよく、すなわち、装置の内部構造は、上記で説明された機能のすべて又は一部を実現するように異なる機能モジュールに分割される。前述の装置の詳細な作動プロセスについて、前述の方法実施例における対応するプロセスに対し参照が行われてよく、詳細はここでさらに説明されない。
【００８８】
前述の実施例は、本発明を限定するのでなく単に本発明の技術的解決策を説明するように意図される点に最後留意すべきである。本発明は前述の実施例を参照して詳細に説明されているが、当業者は、本発明の実施例の技術的解決策の範囲から逸脱することなく、当業者が依然として前述の実施例において説明された技術的解決策に対する変更を行い、あるいはそのいくつかの技術的特徴に対する同等の置換を行い得ることを理解するべきである。
【図１】
2019512914.tif 000003
【図２】
2019512914.tif 000004
【図３】
2019512914.tif 000005
【図４】
2019512914.tif 000006
【図５】
2019512914.tif 000007
【図６】
2019512914.tif 000008
【図７】
2019512914.tif 000009
【図８】
2019512914.tif 000010
【図９】
2019512914.tif 000011
【図１０】
2019512914.tif 000012
【図１１Ａ】
2019512914.tif 000013
【図１１Ｂ】
2019512914.tif 000014
【図１２】
2019512914.tif 000015
【図１３】
2019512914.tif 000016
【図１４】
2019512914.tif 000017
【図１５】
2019512914.tif 000018
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
基地局により、下りリンク制御情報を端末に送出するステップであり、前記下りリンク制御情報は、上りリンクスケジューリング指示情報を含み、前記上りリンクスケジューリング指示情報は、少なくとも１つのアンライセンスキャリア上の複数の上りリンクサブフレーム内で上りリンクデータを送出するように前記端末に命令するために使用される、ステップ
を含む無線通信方法。
【請求項２】
基地局により、下りリンク制御情報を端末に送出する前記ステップは、
前記基地局により、アンライセンスキャリアを使用することにより前記下りリンク制御情報を前記端末に送出するステップ、又は、
前記基地局により、ライセンスキャリアを使用することにより前記下りリンク制御情報を前記端末に送出するステップ
を含む、請求項１に記載の方法。
【請求項３】
基地局により、下りリンク制御情報を端末に送出する前記ステップは、
前記基地局により、１つの下りリンクサブフレームを使用することにより１つの下りリンク制御情報を前記端末に送出するステップ
を含む、請求項１に記載の方法。
【請求項４】
基地局により、下りリンク制御情報を端末に送出する前記ステップは、
前記基地局により、１つの下りリンクサブフレームを使用することにより複数の下りリンク制御情報を前記端末に送出するステップ、を含み、
前記下りリンクサブフレームに対応するキャリアは、アンライセンスキャリア及びライセンスキャリアを含み、各々の下りリンク制御情報が、上りリンクスケジューリング指示情報を含み、前記上りリンクスケジューリング指示情報は、前記少なくとも１つのアンライセンスキャリア上の少なくとも１つの上りリンクサブフレーム内で上りリンクデータを送出するように前記端末に命令するために使用される、
請求項１に記載の方法。
【請求項５】
前記上りリンクスケジューリング指示情報は、開始上りリンクサブフレーム位置情報と連続上りリンクサブフレームの数量とを含み、
前記上りリンクスケジューリング指示情報は、開始上りリンクサブフレーム周期及び開始上りリンクサブフレームオフセットをさらに含み、
前記上りリンクスケジューリング指示情報は、キャリアインデックスをさらに含む、
請求項１乃至４のうちいずれか１項に記載の方法。
【請求項６】
当該方法は、
前記基地局により、無線リソース制御シグナリングを前記端末に送出するステップであり、前記無線リソース制御シグナリングはシステム構成情報を含み、前記システム構成情報は、連続上りリンクサブフレームの数量と開始上りリンクサブフレーム周期とを含む、ステップ、さらに含み、
対応して、前記上りリンクスケジューリング指示情報は、開始上りリンクサブフレーム位置情報及び開始上りリンクサブフレームオフセットを含む、
請求項１又は２に記載の方法。
【請求項７】
前記上りリンクスケジューリング指示情報を送出するための下りリンクサブフレームのインデックスと、スケジュールされた上りリンクサブフレームのインデックスとの間の差は、可変値であり、整数である、請求項１乃至６のうちいずれか１項に記載の方法。
【請求項８】
スケジュールされた上りリンクサブフレームと、前記下りリンク制御情報を送出するための下りリンクサブフレームとは、同じ最大チャネル占有時間ＭＣＯＴ内に入る、請求項１乃至７のうちいずれか１項に記載の方法。
【請求項９】
端末により、基地局により送出された下りリンク制御情報を受信するステップであり、前記下りリンク制御情報は、上りリンクスケジューリング指示情報を含む、ステップと、
前記端末により、前記上りリンクスケジューリング指示情報に基づき少なくとも１つのアンライセンスキャリア上の複数の上りリンクサブフレーム内で上りリンクデータを送出するステップと、
を含む無線通信方法。
【請求項１０】
端末により、基地局により送出された下りリンク制御情報を受信する前記ステップは、
前記端末によりアンライセンスキャリアを使用することにより、前記基地局により送出された前記下りリンク制御情報を受信するステップ、又は、
前記端末によりライセンスキャリアを使用することにより、前記基地局により送出された前記下りリンク制御情報を受信するステップ
を含む、請求項９に記載の方法。
【請求項１１】
端末により、基地局により送出された下りリンク制御情報を受信する前記ステップは、
前記端末により１つの下りリンクサブフレームを使用することにより、前記基地局により送出された複数の下りリンク制御情報を受信するステップであり、前記下りリンクサブフレームに対応するキャリアは、アンライセンスキャリア及びライセンスキャリアを含み、各々の下りリンク制御情報が、上りリンクスケジューリング指示情報を含む、ステップ、を含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記複数の上りリンクスケジューリング指示情報に基づき１つのアンライセンスキャリア上の複数の上りリンクサブフレーム内で別個に前記上りリンクデータを送出するステップ、を含み、
前記上りリンクスケジューリング指示情報は、前記上りリンクサブフレームに対して１対１の対応関係にある、請求項９に記載の方法。
【請求項１２】
当該方法は、
前記端末により、前記上りリンクスケジューリング指示情報に基づき上りリンクサブフレーム開始位置情報と連続上りリンクサブフレームの数量とを取得するステップ、をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記上りリンクサブフレーム開始位置と前記連続上りリンクサブフレームの数量とに基づき複数の上りリンクサブフレームを決定するステップと、
前記端末により、前記複数の上りリンクサブフレーム内で前記上りリンクデータを送出するステップと、
を含む、請求項９乃至１１のうちいずれか１項に記載の方法。
【請求項１３】
当該方法は、
前記端末により、前記上りリンクスケジューリング指示情報に基づき開始上りリンクサブフレーム周期及び開始上りリンクサブフレームオフセットを取得するステップ、をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記上りリンクサブフレーム開始位置と、前記連続上りリンクサブフレームの数量と、前記開始上りリンクサブフレーム周期と、前記開始上りリンクサブフレームオフセットとに基づき複数の上りリンクサブフレームを決定するステップと、
前記端末により、前記複数の上りリンクサブフレーム内で前記上りリンクデータを送出するステップと、
を含む、請求項１２に記載の方法。
【請求項１４】
当該方法は、
前記端末により、前記上りリンクスケジューリング指示情報に基づきキャリアインデックスを取得するステップ、をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記上りリンクサブフレーム開始位置と、前記連続上りリンクサブフレームの数量と、前記キャリアインデックスとに基づき複数のアンライセンスキャリア上の複数の上りリンクサブフレームを決定するステップと、
前記端末により、前記複数のアンライセンスキャリア上の前記複数の上りリンクサブフレーム内で前記上りリンクデータを送出するステップと、
を含む、請求項１２又は１３に記載の方法。
【請求項１５】
前記上りリンクスケジューリング指示情報は、開始上りリンクサブフレーム位置情報及び開始上りリンクサブフレームオフセットを含み、当該方法は、
前記端末により、前記基地局により送出された無線リソース制御シグナリングを受信するステップであり、前記無線リソース制御シグナリングはシステム構成情報を含む、ステップと、
前記端末により、前記システム構成情報に基づき連続上りリンクサブフレームの数量と開始上りリンクサブフレーム周期とを取得するステップと、
をさらに含み、
前記端末により、前記上りリンクスケジューリング指示情報に基づき少なくとも１つのアンライセンスキャリア上の複数の上りリンクサブフレーム内で上りリンクデータを送出する前記ステップは、
前記端末により、前記無線リソース制御シグナリング及び前記上りリンクスケジューリング指示情報に基づき前記少なくとも１つのアンライセンスキャリア上の前記複数の上りリンクサブフレーム内で前記上りリンクデータを送出するステップ、を含む、
請求項９又は１０に記載の方法。
【請求項１６】
前記端末が前記上りリンクスケジューリング指示情報を受信するための下りリンクサブフレームのインデックスと、スケジュールされた上りリンクサブフレームのインデックスとの間の差は、可変値であり、整数である、請求項９乃至１５のうちいずれか１項に記載の方法。
【請求項１７】
スケジュールされた上りリンクサブフレームと、前記上りリンクスケジューリング指示情報を受信するための下りリンクサブフレームとは、同じ最大チャネル占有時間ＭＣＯＴ内に入る、請求項９乃至１５のうちいずれか１項に記載の方法。
【請求項１８】
処理モジュールにより生成された下りリンク制御情報を端末に送出するように構成された送出モジュールであり、前記下りリンク制御情報は、上りリンクスケジューリング指示情報を含み、前記上りリンクスケジューリング指示情報は、少なくとも１つのアンライセンスキャリア上の複数の上りリンクサブフレーム内で上りリンクデータを送出するように前記端末に命令するために使用される、送出モジュール
を含む基地局。
【請求項１９】
前記送出モジュールは、
アンライセンスキャリアを使用することにより前記下りリンク制御情報を前記端末に送出し、あるいは、
前記基地局により、ライセンスキャリアを使用することにより前記下りリンク制御情報を前記端末に送出する
ように構成される、請求項１８に記載の基地局。
【請求項２０】
前記送出モジュールは、
１つの下りリンクサブフレームを使用することにより１つの下りリンク制御情報を前記端末に送出する
ように構成される、請求項１８に記載の基地局。
【請求項２１】
前記送出モジュールは、１つの下りリンクサブフレームを使用することにより複数の下りリンク制御情報を前記端末に送出するように構成され、
前記下りリンクサブフレームに対応するキャリアは、アンライセンスキャリア及びライセンスキャリアを含み、各々の下りリンク制御情報が、上りリンクスケジューリング指示情報を含み、前記上りリンクスケジューリング指示情報は、前記少なくとも１つのアンライセンスキャリア上の少なくとも１つの上りリンクサブフレーム内で上りリンクデータを送出するように前記端末に命令するために使用される、
請求項１８に記載の基地局。
【請求項２２】
前記上りリンクスケジューリング指示情報は、開始上りリンクサブフレーム位置情報と連続上りリンクサブフレームの数量とを含み、
前記上りリンクスケジューリング指示情報は、開始上りリンクサブフレーム周期及び開始上りリンクサブフレームオフセットをさらに含み、
前記上りリンクスケジューリング指示情報は、キャリアインデックスをさらに含む、
請求項１８乃至２１のうちいずれか１項に記載の基地局。
【請求項２３】
前記送出モジュールは、前記処理モジュールにより生成された無線リソース制御シグナリングを前記端末に送出するようにさらに構成され、前記無線リソース制御シグナリングはシステム構成情報を含み、前記システム構成情報は、連続上りリンクサブフレームの数量と開始上りリンクサブフレーム周期とを含み、
前記上りリンクスケジューリング指示情報は、開始上りリンクサブフレーム位置情報及び開始上りリンクサブフレームオフセットを含む、
請求項１８又は１９に記載の基地局。
【請求項２４】
基地局により送出された下りリンク制御情報を受信するように構成された受信モジュールであり、前記下りリンク制御情報は、上りリンクスケジューリング指示情報を含む、受信モジュールと、
送出モジュールを使用することにより、前記上りリンクスケジューリング指示情報に基づき少なくとも１つのアンライセンスキャリア上の複数の上りリンクサブフレーム内で上りリンクデータを送出するように構成された処理モジュールと、
を含む端末。
【請求項２５】
前記受信モジュールは、
アンライセンスキャリアを使用することにより、前記基地局により送出された前記下りリンク制御情報を受信し、あるいは、
ライセンスキャリアを使用することにより、前記基地局により送出された前記下りリンク制御情報を受信する
ように構成される、請求項２４に記載の端末。
【請求項２６】
前記受信モジュールは、１つの下りリンクサブフレームを使用することにより、前記基地局により送出された複数の下りリンク制御情報を受信するように構成され、前記下りリンクサブフレームに対応するキャリアは、アンライセンスキャリア及びライセンスキャリアを含み、各々の下りリンク制御情報が、上りリンクスケジューリング指示情報を含み、
前記処理モジュールは、前記送出モジュールを使用することにより、前記複数の上りリンクスケジューリング指示情報に基づき１つのアンライセンスキャリア上の複数の上りリンクサブフレーム内で別個に前記上りリンクデータを送出するように構成され、
前記上りリンクスケジューリング指示情報は、前記上りリンクサブフレームに対して１対１の対応関係にある、請求項２４に記載の端末。
【請求項２７】
前記処理モジュールは、前記上りリンクスケジューリング指示情報に基づき上りリンクサブフレーム開始位置情報と連続上りリンクサブフレームの数量とを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記上りリンクサブフレーム開始位置と前記連続上りリンクサブフレームの数量とに基づき複数の上りリンクサブフレームを決定することと、
前記送出モジュールを使用することにより前記複数の上りリンクサブフレーム内で前記上りリンクデータを送出することと、
を含み、
前記処理モジュールは、前記上りリンクスケジューリング指示情報に基づき開始上りリンクサブフレーム周期及び開始上りリンクサブフレームオフセットを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記上りリンクサブフレーム開始位置と、前記連続上りリンクサブフレームの数量と、前記開始上りリンクサブフレーム周期と、前記開始上りリンクサブフレームオフセットとに基づき複数の上りリンクサブフレームを決定することと、
前記送出モジュールを使用することにより前記複数の上りリンクサブフレーム内で前記上りリンクデータを送出することと、
を含み、
前記処理モジュールは、前記上りリンクスケジューリング指示情報に基づきキャリアインデックスを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記上りリンクサブフレーム開始位置と、前記連続上りリンクサブフレームの数量と、前記キャリアインデックスとに基づき複数のアンライセンスキャリア上の複数の上りリンクサブフレームを決定することと、
前記送出モジュールを使用することにより前記複数のアンライセンスキャリア上の前記複数の上りリンクサブフレーム内で前記上りリンクデータを送出することと、
を含む、請求項２４乃至２６のうちいずれか１項に記載の端末。
【請求項２８】
前記上りリンクスケジューリング指示情報は、開始上りリンクサブフレーム位置情報及び開始上りリンクサブフレームオフセットを含み、前記受信モジュールは、前記基地局により送出された無線リソース制御シグナリングを受信するようにさらに構成され、前記無線リソース制御シグナリングはシステム構成情報を含み、
前記処理モジュールは、前記システム構成情報に基づき連続上りリンクサブフレームの数量と開始上りリンクサブフレーム周期とを取得するようにさらに構成され、
前記処理モジュールが、送出モジュールを使用することにより、前記上りリンクスケジューリング指示情報に基づき少なくとも１つのアンライセンスキャリア上の複数の上りリンクサブフレーム内で上りリンクデータを送出するように構成されることは、
前記送出モジュールを使用することにより前記無線リソース制御シグナリング及び前記上りリンクスケジューリング指示情報に基づき前記少なくとも１つのアンライセンスキャリア上の前記複数の上りリンクサブフレーム内で前記上りリンクデータを送出すること
を含む、請求項２４又は２５に記載の端末。
【請求項２９】
基地局であって、当該基地局は送受信機、メモリ、バスシステム、及び少なくとも１つのプロセッサを含み、前記送受信機、前記メモリ、及び前記少なくとも１つのプロセッサは前記バスシステムを使用することにより接続され、
前記メモリは１つ以上のプログラムを記憶し、前記１つ以上のプログラムは命令を含み、前記命令が当該基地局により実行されたとき、当該基地局は請求項１乃至８のうちいずれか１項に記載の方法を実行する、基地局。
【請求項３０】
端末であって、当該端末は送受信機、メモリ、バスシステム、及び少なくとも１つのプロセッサを含み、前記送受信機、前記メモリ、及び前記少なくとも１つのプロセッサは前記バスシステムを使用することにより接続され、
前記メモリは１つ以上のプログラムを記憶し、前記１つ以上のプログラムは命令を含み、前記命令が当該端末により実行されたとき、当該端末は請求項９乃至１７のうちいずれか１項に記載の方法を実行する、端末。
【国際調査報告】
2019512914.tif 000019
2019512914.tif 000020
2019512914.tif 000021
2019512914.tif 000022